(57)【要約】【課題】不特定受信者に無作為に発信される迷惑メールを效果的に遮断することができる迷惑メール遮断システム及び方法を提供する。【解決手段】  電子メールを受信すると、認証メールを送信し、受信メールを設定された時間の間臨時保存部に臨時に保存し、設定時間内に差出人の回答を受信しなければ削除処理し、設定時間内に差出人の回答を受信すれば、受信メールを受信者メールアカウントに送るメール送受信部と、認証済みの差出人メールアドレスと、受信者自身が登録した認証不要の差出人メールアドレスとを、各受信者毎に分類して保存する認証者リストと、差出人メールアドレスが認証者リストに含まれているか否かを検索し、含まれていなければ、差出人メールアドレスに認証メールを送り、差出人からの接続及び回答があれば差出人の認証をする認証処理部と、を備える。【選択図】図１
2007528686.tif 000002
【特許請求の範囲】
【請求項１】
電子メールを送受信するメールサーバーの前段に設けられ、電子メールを送る差出人メールアドレスに差出人を認証するための認証メールを送り、前記認証メールに対する前記差出人の回答の有無により前記差出人を認証し、前記電子メールを受信／削除処理する迷惑メール遮断システムであって、
前記電子メールを受信し、前記認証メールが送信された後、設定された時間の間、前記電子メールを臨時保存部に臨時に保存した後、前記設定された時間内に前記差出人の回答が受信されなければ、削除処理し、前記設定された時間内に前記差出人の回答が受信されれば、前記臨時保存された電子メールを前記メールサーバーの前記受信者メールアカウントに送るメール送受信部と、
前記認証メールを通じて認証された認証済みの前記差出人メールアドレスと、前記電子メールの受信者が認証なしに電子メールを受信するために登録した認証不要の差出人メールアドレスとを、前記各受信者毎に分類して保存する認証者リストと、
前記差出人メールアドレスが前記認証者リストに含まれているか否かを検索し、前記差出人メールアドレスが前記認証者リストに含まれていなければ、前記差出人メールアドレスに前記認証メールを送り、前記認証メールに対する前記差出人からの接続及び回答があれば前記差出人を認証する認証処理部と、を備えることを特徴とする迷惑メール遮断システム。
【請求項２】
前記認証メールが、前記認証メールを一般の電子メールと区別するための所定の識別情報を前記認証メールのヘッダーに含ませることを特徴とする請求項１に記載の迷惑メール遮断システム。
【請求項３】
前記迷惑メール遮断システムが、メール送信プロトコルのうち、送受信者メールアカウントの確認のためのプロトコルの前段において、前記差出人が登録されたメールサーバーと前記認証メールを一般の電子メールと区別するためのプロトコルを行うことを特徴とする請求項１に記載の迷惑メール遮断システム。
【請求項４】
前記メール送受信部が、前記臨時保存部に臨時保存された前記電子メールを、前記受信者が選択して受信及び保存可能に、前記臨時保存された電子メールとリンクされたリストであるペンディングリストを提供することを特徴とする請求項１に記載の迷惑メール遮断システム。
【請求項５】
前記メール送受信部が、前記ペンディングリストから前記受信者が選択する電子メールを、前記認証メールに対する回答の有無に関わらず、前記メールサーバーの受信者メールアカウントに送り、
前記認証処理部が、前記ペンディングリストから前記受信者が選択する電子メールに対する前記差出人メールアドレスを前記認証者リストに加える、ことを特徴とする請求項４に記載の迷惑メール遮断システム。
【請求項６】
前記認証メールが、前記差出人が前記認証処理部に接続するためのＵＲＬを含む接続情報、及び前記差出人を認証するための固有キーを含み、
前記認証処理部が、前記認証メールに対する前記固有キー、及び前記固有キーに対する前記差出人の回答を検証するための対応するキー値を保存し、前記認証メールを通じる前記差出人の接続、及び前記固有キーに対する前記差出人の回答と前記キー値の比較により、前記差出人を認証する、ことを特徴とする請求項１乃至５のいずれか一項に記載の迷惑メール遮断システム。
【請求項７】
前記認証メールが、前記差出人が前記認証処理部に接続するためのＵＲＬを含む接続情報を含み、
前記認証処理部が、前記接続情報とリンクされるウェブページにグラフィック処理された特殊文字パターンをディスプレイし、前記差出人から前記特殊文字パターンを入力され、前記差出人を認証する、ことを特徴とする請求項１乃至５のいずれか一項に記載の迷惑メール遮断システム。
【請求項８】
前記認証メールが、前記差出人が前記認証処理部に接続するためのＵＲＬを含む接続情報を含み、
前記認証処理部が、前記接続情報とリンクされるウェブページに正解がある質問を与え、前記差出人から前記正解を入力された後、正解の有無により前記差出人を認証する、ことを特徴とする請求項１乃至５のいずれか一項に記載の迷惑メール遮断システム。
【請求項９】
前記迷惑メール遮断システムが、
前記メールサーバーに登録された全ての受信者が受信を拒否した差出人メールアドレスまたはＩＰアドレスを保存するブラックリストと、
前記臨時保存部、前記ペンディングリスト、及び前記認証者リストと連動し、前記設定された時間の間、前記臨時保存部に臨時保存される電子メールのうち、前記電子メールの全ての受信者が前記ペンディングリストを通じて受信しなかった各電子メール間に各特性を比較し、互いに同一の特性を持つ電子メールの差出人メールアドレスまたはＩＰアドレスをブラックリストに登録し、前記ブラックリストと前記認証者リストをリアルタイムで比較し、前記ブラックリストと前記認証者リストに共通して含まれた差出人メールアドレスを前記ブラックリストから削除するブラックリスト処理部と、
前記メール送受信部の前段に設けられ、前記受信される電子メールのうち、前記ブラックリストに含まれたメールアドレスまたはＩＰアドレスから送信された電子メールの受信を遮断するブラックリスト遮断部と、をさらに備えることを特徴とする請求項４に記載の迷惑メール遮断システム。
【請求項１０】
前記ブラックリスト処理部により比較される前記特性が、差出人メールアドレス、発信ＩＰ、電子メールの題目、及び電子メールの本文内容を含むことを特徴とする請求項９に記載の迷惑メール遮断システム。
【請求項１１】
電子メールを送受信するメールサーバーＡの前段において、電子メールを送る差出人メールアドレスに前記差出人を認証するための認証メールを送り、前記認証メールに対する前記差出人の回答の有無により前記差出人を認証し、認証された差出人の前記電子メールを受信者に送る迷惑メール遮断方法であって、
前記電子メールを受信する第１のステップと、
前記受信者によって電子メールの送信が認証及び承認された差出人メールアドレスのリストである認証者リストから前記差出人メールアドレスを検索する第２のステップと、
前記差出人メールアドレスが認証者リストにあれば、前記電子メールを前記メールサーバーＡの前記受信者メールアカウントに送る第３のステップと、
前記差出人メールアドレスが前記認証者リストになければ、前記差出人メールアドレスに前記認証メールを送り、所定の設定された時間の間、前記電子メールを臨時保存部に臨時保存する第４のステップと、
前記設定された時間内に前記認証メールに対する前記差出人の回答が受信されれば、前記臨時保存部に臨時保存された前記電子メールを前記メールサーバーＡの前記受信者メールアカウントに送り、前記差出人メールアドレスを前記認証者リストに加える第５のステップと、
前記設定された時間内に、前記認証メールに対する前記差出人の回答が受信されなければ、前記臨時保存部に臨時保存された前記電子メールを削除する第６のステップとを含み、
前記第３のステップと前記第４のステップ乃至前記第６のステップが選択的に行われ、前記第５のステップと前記第６のステップが選択的に行われる、ことを特徴とする迷惑メール遮断方法。
【請求項１２】
前記第４のステップが、
前記差出人メールアドレスが登録されたメールサーバーＢが、前記認証メールを一般の電子メールと識別可能に、所定の識別情報を生成する第４−１のステップと、
前記認証メールに前記識別情報を挿入する第４−２のステップと、を含むことを特徴とする請求項１１に記載の迷惑メール遮断方法。
【請求項１３】
前記第４のステップが、前記差出人メールアドレスが登録されたメールサーバーＢに前記認証メールの送信許可を要請するメッセージを送る第４−３のステップを含み、
前記第４−３のステップが、前記メールサーバーＢとの交信のために、メール送信プロトコルのうち、送受信者メールアカウントの確認のためのプロトコルの前段において行う、ことを特徴とする請求項１１に記載の迷惑メール遮断方法。
【請求項１４】
前記第４−３のステップ以降、前記メールサーバーＡは、
前記認証メールの送信を検証するためにメールサーバーＢが一定の規則により生成して送った識別コードを受信する第４−４のステップと、
前記一定の規則により生成され、前記識別コードに対して対をなすキー値である回答コードをメールサーバーＢに送る第４−５のステップと、
前記メールサーバーＢから認証メールの送信を承認するメッセージを受信する第４−６のステップと、をさらに含むことを特徴とする請求項１３に記載の迷惑メール遮断方法。
【請求項１５】
前記認証メールが、前記差出人が前記認証メールに回答するために所定のウェブページに接続するためのＵＲＬを含む接続情報、及び前記差出人を認証するための固有キーを含み、
前記第５のステップが、前記差出人から前記固有キーに対応するキー値の回答を入力され、前記差出人を認証する第５−１のステップを含む、ことを特徴とする請求項１１乃至１４のいずれか一項に記載の迷惑メール遮断方法。
【請求項１６】
前記認証メールが、前記差出人が前記認証メールに回答するために所定のウェブページに接続するためのＵＲＬを含む接続情報を含み、
前記第５のステップが、前記接続情報とリンクされるウェブページにグラフィック処理された特殊文字パターンをディスプレイする第５−２のステップと、
前記差出人から前記特殊文字パターンを入力され、前記差出人を認証する第５−３のステップとを含む、ことを特徴とする請求項１１乃至１４のいずれか一項に記載の迷惑メール遮断方法。
【請求項１７】
前記認証メールが、前記差出人が前記認証メールに回答するために所定のウェブページに接続するためのＵＲＬを含む接続情報を含み、
前記第５のステップが、前記接続情報とリンクされるウェブページに正解がある質問を与える第５−４のステップと、前記差出人から前記正解を入力された後、正解の有無により前記差出人を認証する第５−５のステップとを含む、ことを特徴とする請求項１１乃至１４のいずれか一項に記載の迷惑メール遮断方法。
【請求項１８】
前記臨時保存部に臨時保存された前記電子メールを確認可能に、前記電子メールとリンクされたリストであるペンディングリストを前記受信者に提供する第７のステップと、
前記ペンディングリストから前記受信者が選択する電子メールを前記認証メールに対する回答の有無に関わらず、前記メールサーバーＡの前記受信者メールアカウントに送る第８のステップと、
前記ペンディングリストから前記受信者が選択する電子メールに対して、前記差出人メールアドレスを前記認証者リストに加える第９のステップと、をさらに含み、
前記第８ステップ及び前記第９のステップが順序によらず行われ、前記第７のステップ乃至前記第９のステップが、前記第４のステップ乃至前記第６のステップと順序によらず行われることを特徴とする請求項１１に記載の迷惑メール遮断方法。
【請求項１９】
前記メールサーバーＡに登録された全ての受信者が受信を拒否した差出人メールアドレスまたはＩＰアドレスを保存するブラックリストに含まれたメールアドレスまたはＩＰアドレスから送信された電子メールの受信を遮断する第１０のステップと、
前記第４のステップにおいて前記設定された時間の間、前記臨時保存部に臨時保存される電子メールのうち、前記電子メールの全ての受信者が前記第８ステップと前記第９のステップにおいて、前記ペンディングリストを通じて選択しなかった各電子メール間に各特性を比較し、互いに同一の特性を持つ電子メールの差出人メールアドレスまたはＩＰアドレスをブラックリストに登録する第１１のステップと、
前記ブラックリストと前記認証者リストをリアルタイムで比較し、前記ブラックリストと前記認証者リストに共通して含まれた差出人メールアドレスを前記ブラックリストから削除する第１２のステップと、をさらに含み、
前記第１０のステップが、前記第１のステップの前に行われ、前記第１１のステップが、前記第８のステップと前記第９のステップと選択的に行われ、前記第１２のステップが、前記第１のステップ乃至前記第９のステップと順序によらず行われることを特徴とする請求項１８に記載の迷惑メール遮断方法。
【請求項２０】
前記第１１のステップが、
前記第４のステップにおいて前記設定された時間の間、前記臨時保存部に臨時保存される電子メールのうち、前記電子メールの全ての受信者が前記第８のステップと前記第９のステップにおいて前記ペンディングリストを通じて選択しなかった各電子メールに対して、差出人メールアドレスを比較し、差出人メールアドレスが同一である電子メールが複数ある場合、前記差出人メールアドレスが同一である電子メールの差出人メールアドレスを前記ブラックリストに登録する第１１−１のステップと、
発信ＩＰを比較し、発信ＩＰが同一である電子メールが複数ある場合、前記発信ＩＰが同一である電子メールの差出人のＩＰアドレスを前記ブラックリストに登録する第１１−２のステップと、
電子メールの題目を比較し、題目が同一である電子メールが複数ある場合、前  記題目が同一である電子メールの差出人メールアドレスまたはＩＰアドレスを前記ブラックリストに登録する第１１−３のステップと、
電子メールの本文内容をハッシュ処理してコードに変換し、変換されたコードを比較し、変換されたコードが同一である電子メールが複数ある場合、前記変換されたコードが同一である電子メールの差出人メールアドレスまたはＩＰアドレスを前記ブラックリストに登録する第１１−４のステップと、を含み、
前記第１１−１のステップ乃至前記第１１−４のステップが順序によらず行われることを特徴とする請求項１９に記載の迷惑メール遮断方法。
【発明の詳細な説明】
【技術分野】
【０００１】
本発明は、迷惑メール遮断システム及び方法に関し、より具体的には、インターネットまたは有無線通信網を介して送信される電子メール（ｅ−ｍａｉｌ）のうち、広告のために無作為に大量送信される迷惑メールの受信を遮断するための迷惑メール遮断システム及び方法に関する。
【背景技術】
【０００２】
電子メールは、インターネットまたは有無線通信網を介して多者間にメッセージを送る通信手段として、その使用が急増している。このように電子メールの使用が普遍化し、その比重が大きくなりながら、不特定多数を対象にする広告／マーケティングの媒介体として電子メールを利用する迷惑メールが急増している。したがって、受信者が不要な迷惑メールを確認及び削除するために多くの時間と努力を入れなければならないだけでなく、悪性コードに露出することがあり、ネットワーク及びシステムのリソースを不要に浪費してしまうという問題点があった。
【０００３】
このような迷惑メールを遮断するための従来の技術について説明すると、主に、迷惑メールの共通した特性に基づき、電子メールの題目や内容に特定の単語などが含まれているか否かを検索してフィルタリングする方式と、特に、スパム申告されたドメインまたはメールアドレスに対するブラックリストを作成し、これらのドメインまたはメールアドレスから送信された電子メールを遮断する方式とがある。
【０００４】
しかしながら、特定の単語などを検索してフィルタリングする方式の場合、過去に受信された迷惑メールから推論された情報に依拠するので、日々進化する迷惑メールを效果的に遮断することは難しく、テキストではなくイメージからなる迷惑メールの場合、適切なフィルタリングが困難であるという問題点があった。また、特定の単語などが含まれた電子メールをフィルタリングするので、これらの単語が含まれた正常な電子メールまでフィルタリングしてしまうという問題点もあった。また、ブラックリストを用いる方式の場合、迷惑メールの差出人が多様な差出人メールアドレスを使ったり、仮想のメールアドレスを生成して使ったりする場合、これを遮断することができないという問題点があった。
そこで、無作為に送信される迷惑メールを效果的に遮断することができる技術が切望されているのが現状である。
【発明の開示】
【発明が解決しようとする課題】
【０００５】
本発明は、上述の問題点に鑑みてなされたもので、その目的は、電子メールの差出人を所定の認証メールで認証し、認証された差出人が送った電子メールのみを正常な電子メールとして受信者に受信処理することにより、不特定受信者に無作為に発信される迷惑メールを效果的に遮断することができる迷惑メール遮断システム及び方法を提供することにある。
【０００６】
また、本発明の他の目的は、電子メールの差出人に認証メールを送るに際して、メールシステムが一般の電子メール（迷惑メール、一般メール）と認証メールを区分して受信させることにより、差出人と受信者のメールシステム間に認証メールのみを無制限に取り交わすことを防止することができる迷惑メール遮断システム及び方法を提供することにある。
【０００７】
本発明のまた他の目的は、電子メールの差出人を認証するために送信した認証メールの回答を受信する前に、差出人が送った電子メールを受信者が任意に受信及び確認することができる迷惑メール遮断システム及び方法を提供することにある。
【０００８】
本発明のさらにまた他の目的は、受信された電子メールの差出人が送った電子メールの数量だけの認証メールを送らずに、一部の認証メールを先に送って差出人を認証した後、残りの認証メールを送る２段階送信方式を用いることにより、スパム業者が他人のメールアドレスを用いて迷惑メールを送る場合、当該メールアドレスに一度に多量の認証メールが送信されて被害が生じるのを防止することができる迷惑メール遮断システム及び方法を提供することにする。
【課題を解決するための手段】
【０００９】
前記目的を達成すべく、本発明に係る迷惑メール遮断システムによれば、電子メールを送受信するメールサーバーの前段に設けられ、電子メールを送る差出人メールアドレスに差出人を認証するための認証メールを送り、認証メールに対する差出人の回答の有無により差出人を認証し、または認証しない、電子メールを受信／削除処理する迷惑メール遮断システムであって、電子メールを受信すると、認証メールを送信し、設定された時間の間、電子メールを臨時保存部に臨時に保存し、設定された時間内に差出人の回答を受信しなければ、削除処理し、設定された時間内に差出人の回答を受信すれば、臨時保存された電子メールをメールサーバーの受信者のメールアカウントに送るメール送受信部と、認証メールを通じて認証済みの差出人メールアドレスと、受信者が認証なしに電子メールを受信するために登録した認証不要の差出人メールアドレスとを、各受信者毎に分類して保存する認証者リストと、差出人メールアドレスが認証者リストに含まれているか否かを検索し、差出人メールアドレスが認証者リストに含まれていなければ、差出人メールアドレスに認証メールを送り、認証メール対する差出人からの接続及び回答があれば差出人を認証する認証処理部と、を備えることを特徴とする。
【００１０】
好ましくは、前記認証メールが、認証メールを一般の電子メールと区別するための所定の識別情報を認証メールのヘッダーに含ませる。また、迷惑メール遮断システムは、メール送信プロトコルのうち、送受信者メールアカウントの確認のためのプロトコルの前段において、差出人が登録されたメールサーバーと認証メールを一般の電子メールと区別するためのプロトコルを行う。メール送受信部は、臨時保存部に臨時保存された電子メールを、受信者が選択して受信及び保存可能に、臨時保存された電子メールとリンクされたリストであるペンディングリストを提供し、この際、メール送受信部が、ペンディングリストから受信者が選択する電子メールを、認証メールに対する回答の有無に関わらず、メールサーバーの受信者メールアカウントに送り、認証処理部は、ペンディングリストから受信者が選択する電子メールに対する差出人メールアドレスを認証者リストに加える。
【００１１】
より好ましくは、認証メールが、差出人が認証処理部に接続するためのＵＲＬを含む接続情報、及び差出人を認証するための固有キーを含み、認証処理部が、認証メールに対する固有キー、及び固有キーに対する差出人の回答を検証するための対応するキー値を保存し、認証メールを通じる差出人の接続、及び固有キーに対する差出人の回答とキー値の比較により、差出人を認証する。また、認証メールが、差出人が認証処理部に接続するためのＵＲＬを含む接続情報を含み、認証処理部が、接続情報とリンクされるウェブページにグラフィック処理された特殊文字パターンをディスプレイし、差出人から特殊文字パターンが入力されることにより、差出人を認証するか、または、認証メールが、差出人が認証処理部に接続するためのＵＲＬを含む接続情報を含み、認証処理部が、接続情報とリンクされるウェブページに正解がある質問を与え、差出人から正解が入力された後、正解の有無により差出人を認証するように構成してもよい。
【００１２】
また、迷惑メール遮断システムは、メールサーバーに登録された全ての受信者が受信を拒否した差出人メールアドレスまたはＩＰアドレスを保存するブラックリストと、臨時保存部、ペンディングリスト、及び認証者リストと連動し、設定された時間の間、臨時保存部に臨時保存される電子メールのうち、電子メールの全ての受信者がペンディングリストを通じて受信しなかった各電子メール間に各特性を比較し、互いに同一の特性を持つ電子メールの差出人メールアドレスまたはＩＰアドレスをブラックリストに登録し、ブラックリストと認証者リストをリアルタイムで比較し、ブラックリストと認証者リストに共通して含まれた差出人メールアドレスをブラックリストから削除するブラックリスト処理部と、メール送受信部の前段に設けられ、受信される電子メールのうち、ブラックリストに含まれたメールアドレスまたはＩＰアドレスから送信された電子メールの受信を遮断するブラックリスト遮断部と、をさらに備える。この際、ブラックリスト処理部により比較される特性は、差出人メールアドレス、発信ＩＰ、電子メールの題目、及び電子メールの本文内容を含む。
【００１３】
また、本発明に係る迷惑メール遮断方法は、電子メールを送受信するメールサーバーＡの前段において、電子メールを送る差出人メールアドレスに差出人を認証するための認証メールを送り、認証メールに対する差出人の回答の有無により差出人を認証し、認証された差出人の電子メールを受信者に送る迷惑メール遮断方法であって、電子メールを受信する第１のステップと、受信者によって電子メールの送信が認証及び承認された差出人メールアドレスのリストである認証者リストから差出人メールアドレスを検索する第２のステップと、差出人メールアドレスが認証者リストにあれば、電子メールをメールサーバーＡの受信者メールアカウントに送る第３のステップと、差出人メールアドレスが認証者リストになければ、差出人メールアドレスに認証メールを送り、所定の設定された時間の間、電子メールを臨時保存部に臨時保存する第４のステップと、設定された時間内に認証メールに対する差出人の回答が受信されれば、臨時保存部に臨時保存された電子メールをメールサーバーＡの受信者メールアカウントに送り、差出人メールアドレスを認証者リストに加える第５のステップと、設定された時間内に、認証メールに対する差出人の回答が受信されなければ、臨時保存部に臨時保存された電子メールを削除する第６のステップとを含み、第３のステップと第４のステップ乃至第６のステップが選択的に行われ、第５のステップと第６のステップが選択的に行われることを特徴とする。
【００１４】
好ましくは、第４のステップが、差出人メールアドレスが登録されたメールサーバーＢが、認証メールを一般の電子メールと識別可能に、所定の識別情報を生成する第４−１のステップと、認証メールに識別情報を挿入する第４−２のステップと、を含む。
【００１５】
第４のステップが、差出人メールアドレスが登録されたメールサーバーＢに認証メールの送信許可を要請するメッセージを送る第４−３のステップを含み、第４−３のステップが、メールサーバーＢとの交信のために、メール送信プロトコルのうち、送受信者メールアカウントの確認のためのプロトコルの前段において行われてもよい。
【００１６】
この際、第４−３のステップ以降、メールサーバーＡは、認証メールの送信を検証するためにメールサーバーＢが一定の規則により生成して送った識別コードを受信する第４−４のステップと、一定の規則により生成され、識別コードに対して対をなすキー値である回答コードをメールサーバーＢに送る第４−５のステップと、メールサーバーＢから認証メールの送信を承認するメッセージを受信する第４−６のステップと、をさらに含むことが好ましい。
【００１７】
また、認証メールが、差出人が認証メールに回答するために所定のウェブページに接続するためのＵＲＬを含む接続情報、及び差出人を認証するための固有キーを含み、第５のステップが、差出人から固有キーに対応するキー値の回答が入力され、差出人を認証する第５−１のステップを含む。
【００１８】
認証メールが、差出人が認証メールに回答するために所定のウェブページに接続するためのＵＲＬを含む接続情報を含み、第５のステップが、接続情報とリンクされるウェブページにグラフィック処理された特殊文字パターンをディスプレイする第５−２のステップと、差出人から特殊文字パターンを入力され、差出人を認証する第５−３のステップとを含み、または、認証メールが、差出人が認証メールに回答するために所定のウェブページに接続するためのＵＲＬを含む接続情報を含み、第５のステップが、接続情報とリンクされるウェブページに正解がある質問を与える第５−４のステップと、差出人から正解が入力された後、正解の有無により差出人を認証する第５−５のステップと、を含むように構成してもよい。
【００１９】
より好ましくは、臨時保存部に臨時保存された電子メールを確認可能に、電子メールとリンクされたリストであるペンディングリストを受信者に提供する第７のステップと、ペンディングリストから受信者が選択する電子メールを認証メールに対する回答の有無に関わらず、メールサーバーＡの受信者メールアカウントに送る第８のステップと、ペンディングリストから受信者が選択する電子メールに対して、差出人メールアドレスを認証者リストに加える第９のステップと、をさらに含み、第８ステップ及び第９のステップが順序によらず行われ、第７のステップ乃至第９のステップが、第４のステップ乃至第６のステップと順序によらず行われる。
【００２０】
また、メールサーバーＡに登録された全ての受信者が受信を拒否した差出人メールアドレスまたはＩＰアドレスを保存するブラックリストに含まれたメールアドレスまたはＩＰアドレスから送信された電子メールの受信を遮断する第１０のステップと、第４のステップにおいて設定された時間の間、臨時保存部に臨時保存される電子メールのうち、電子メールの全ての受信者が第８ステップと第９のステップにおいて、ペンディングリストを通じて選択しなかった各電子メール間に各特性を比較し、互いに同一の特性を持つ電子メールの差出人メールアドレスまたはＩＰアドレスをブラックリストに登録する第１１のステップと、ブラックリストと認証者リストをリアルタイムで比較し、ブラックリストと認証者リストに共通して含まれた差出人メールアドレスをブラックリストから削除する第１２のステップと、をさらに含み、第１０のステップが、第１のステップの前に行われ、第１１のステップが、第８のステップと第９のステップと選択的に行われ、第１２のステップが、第１のステップ乃至第９のステップと順序によらず行われる。
【００２１】
この際、第１１のステップは、第４のステップにおいて設定された時間の間、臨時保存部に臨時保存される電子メールのうち、電子メールの全ての受信者が第８のステップと第９のステップにおいてペンディングリストを通じて選択しなかった各電子メールに対して、差出人メールアドレスを比較し、差出人メールアドレスが同一である電子メールが複数ある場合、差出人メールアドレスが同一である電子メールの差出人メールアドレスをブラックリストに登録する第１１−１のステップと、発信ＩＰを比較し、発信ＩＰが同一である電子メールが複数ある場合、発信ＩＰが同一である電子メールの差出人のＩＰアドレスをブラックリストに登録する第１１−２のステップと、電子メールの題目を比較し、題目が同一である電子メールが複数ある場合、題目が同一である電子メールの差出人メールアドレスまたはＩＰアドレスをブラックリストに登録する第１１−３のステップと、電子メールの本文内容をハッシュ処理（ｈａｓｈｉｎｇ）してコードに変換し、変換されたコードを比較し、変換されたコードが同一である電子メールが複数ある場合、変換されたコードが同一である電子メールの差出人メールアドレスまたはＩＰアドレスをブラックリストに登録する第１１−４のステップと、を含み、第１１−１のステップ乃至第１１−４のステップが順序によらず行われる。
【発明の効果】
【００２２】
本発明によれば、認証メールに対する回答を通じて電子メールの差出人を認証することにより、迷惑メールを效果的に遮断するのみならず、迷惑メール遮断システム間において認証メールと一般メールを区別することにより、認証メールを繰返し送受信することを防止することができ、スパム業者が第三者のメールアドレスを用いて大量の電子メールを送る場合、前記第三者に大量の認証メールが送信されることにより予期しなかった損害が発生することを防止することができるという效果がある。
【発明を実施するための最良の形態】
【００２３】
以下、添付した図面に基づき、本発明の好適な実施例について詳述する。
図１は、本発明に係る迷惑メール遮断システムを示す構成図である。図１に示すように、各メールサーバー２００、３００は、インターネットまたは有無線通信網４００を介して相互電子メールを送受信し、前記迷惑メール遮断システム１００は、メールサーバー２００の前段に設けられている。メールサーバー２００及び３００は、電子メールの送受信のための一般メールサーバーとして、電子メールを送受信するための差出人及び受信者のメールアカウントが登録される。図１では、メールサーバー２００にのみ迷惑メール遮断システムが設けられた実施の形態を示したが、メールサーバー３００は、電子メールの差出人メールアカウントが登録されたメールサーバーであり、また、メールサーバー２００は、電子メールの受信者メールアカウントが登録されたメールサーバーである。
【００２４】
前記迷惑メール遮断システム１００は、メールサーバー３００と電子メールを送受信するメール送受信部１０と、受信された電子メールを臨時保存する臨時保存部２０と、迷惑メール遮断システム１００により認証された差出人のリストを保存する認証者リスト３０と、前記差出人に認証メールを生成及び送信し、差出人を認証する認証処理部４０と、を備える。なお、認証メールの送信は、メール送受信部１０により行われてもよい。
【００２５】
前記メール送受信部１０は、インターネットまたは有無線通信網４００を介して電子メールを送受信処理する。したがって、メールサーバー３００から差出人が送った電子メールは、メール送受信部１０により受信され、臨時保存部２０に保存される。臨時保存部２０は、認証処理部４０により認証の可否が決まるまで、電子メールを臨時保存し、電子メールの受信者に応じて前記電子メールを分類して保存する。また、メール送受信部１０は、認証処理部４０の認証の有無により、当該電子メールをメールサーバー２００に送信または削除の処理を行う。具体的に、認証処理部４０により認証が完了すると、メール送受信部１０は、当該電子メールを臨時保存部２０から抽出し、メールサーバー２００の当該受信者メールアドレスに送る。メールサーバー２００に送信された電子メールは、当該受信者に割り当てられた別途の保存領域（図示せず）に保存され、受信者が受信及び確認することが可能となる。これに対して、認証処理部４０により認証が行われていない場合、すなわち、当該電子メールが迷惑メールと判断された場合は、メール送受信部１０は、臨時保存部２０に保存された電子メールを削除する。
【００２６】
前記認証者リスト３０は、受信者に対する電子メールの送信が承認／認証された差出人メールアドレスリストとして、受信者、すなわちメールサーバー２００のメールアカウントの使用者毎にそれぞれ生成する。認証者リスト３０に含まれる差出人メールアドレスは、認証処理部４０により認証が完了した差出人メールアドレスと、前記受信者が個別に登録した差出人メールアドレスとを含む。
【００２７】
前記認証処理部４０は、認証メールを通じて電子メールの差出人を認証することにより、スパム業者から送信された迷惑メールを遮断する構成部である。具体的に、認証処理部４０は、受信された電子メールの差出人を認証者リスト３０から検索し、前記差出人が認証者リスト３０に含まれていなければ、認証メールを生成及び送信する。認証メールには、差出人が認証処理部４０に接続するためのＵＲＬのような接続情報が含まれる。また、認証処理部４０は、認証メールに対する固有キーと共に、それに対応するキー値を保存する。前記対応するキー値は、前記固有キーに対する差出人の回答を検証するための値として、認証処理部は、認証メールに固有キーを含めて送り、差出人の回答を前記対応するキー値と比較することにより、差出人を認証する。
【００２８】
固有キーと、それに対応するキー値を用いた認証処理部４０の具体的な認証過程は、様々な形態で実施され得るが、例えば、認証処理部４０は、前記接続情報を通じて差出人が接続するウェブページ、すなわち接続情報とリンクされるウェブページにグラフィック処理された特殊文字パターンをディスプレイし、回答として特殊文字パターンの入力を要求する。グラフィック処理された特殊文字パターンは、差出人が目視により、即時、その意味を分析しまたは読み出すことができる文字パターンとして、これを通じて公開的に認証を要求する。差出人が回答として特殊文字パターンを入力すれば、認証処理部は、これを保存された値と比較することにより、差出人を認証する。
【００２９】
認証処理部４０の認証過程のまた他の例として、認証処理部は、前記接続情報とリンクされるウェブページに正解がある質問をディスプレイし、差出人から正解が入力されて比較し、正解の有無により差出人を認証する。この際、ディスプレイされる質問は、差出人がすぐ正解が分かる難易度の質問を使用する。したがって、大量に迷惑メールを送り、または任意に生成された偽アカウントを使って迷惑メールを送る差出人（スパム業者）は、前記認証メールを受信することができず、または一々回答しなければならないので、迷惑メールの差出人を效果的に選り分けることが可能となる。
【００３０】
認証処理部４０は、認証メールに対して差出人の回答が受信されて認証が完了した場合、当該差出人メールアドレスを認証者リスト３０に加え、認証完了を示すメッセージをメール送受信部１０に送る。これに対して、認証処理部４０は、設定された時間内に差出人から回答が受信されなければ、当該電子メールを迷惑メールと判断し、認証失敗を示すメッセージをメール送受信部に送る。したがって、メール送受信部１０は、認証処理部４０の認証完了または認証失敗のメッセージにより、臨時保存部２０に保存された電子メールをメールサーバー２００に送信または削除する。
【００３１】
また、差出人の認証が完了しなかった状態で、臨時保存部２０に保存された各電子メールは、当該受信者にリスト形態で提供され得る。すなわち、メールサーバー２００のメールアカウントの登録者（受信者）は、認証が完了しなかった電子メールのリスト（以下、「ペンディングリスト」と言う）を確認し、前記リストのうち、選択的に電子メールを受信することができる。この際、メール送受信部１０は、受信者が選択した電子メールを臨時保存部２０から抽出し、メールサーバー２００の当該受信者メールアカウントに送る。したがって、このような過程により受信者に受信された電子メールに対しては、差出人の認証の有無に関わらず、削除されなくなる。
【００３２】
図２は、本発明に係る迷惑メール遮断過程を示すフローチャートである。図２を参照して、本発明に係る迷惑メール遮断過程を説明すれば、以下の通りである。
メールサーバー３００から電子メールが送信されれば、メール送受信部１０は、前記電子メールを受信し、受信された電子メールは、臨時保存部２０に保存される（ＳＴ２００）。
【００３３】
認証処理部４０は、前記電子メールの差出人が認証者リスト３０に含まれているか否かを検索する（ＳＴ２１０）。具体的に、前記電子メールに含まれた差出人メールアドレスを、認証者リスト３０から検索する。前記差出人メールアドレスが認証者リスト３０に含まれていれば、メール送受信部１０は臨時保存部２０に保存された電子メールをメールサーバー２００の受信者メールアカウントに送る（ＳＴ２２０、ＳＴ２３０）。これに対して、前記差出人メールアドレスが認証者リストに含まれていなければ、認証処理部４０は、認証メールを生成し、前記差出人メールアドレスに送る（ＳＴ２２０、ＳＴ２４０）。この際、認証メールは、予め保存されている生成フォーマット（本文内容、接続情報、及びコードなど）を用いて生成することが好ましい。認証メールには、差出人が認証処理部４０に接続するためのＵＲＬなどの接続情報と差出人を認証するための固有キーが含まれる。
【００３４】
認証処理部４０は、予め設定された時間の間、認証メールに対する前記差出人の回答を待つ（ＳＴ２５０）。前記設定された時間以内に差出人から回答があった場合、認証処理部４０は、前記回答と前記固有キーに対応するキー値とを比較し、差出人を認証した後、前記差出人メールアドレスを認証者リスト３０に登録する（ＳＴ２６０、ＳＴ２７０）。具体的に、前記差出人が、認証メールの接続情報とリンクされたウェブページに接続し、ディスプレイされたグラフィック処理された特殊文字パターンを見てこれを入力し、または前記ウェブページにディスプレイされた質問に対して正解を入力すれば、認証処理部は、これを確認し、差出人を認証した後、差出人メールアドレスを認証者リストに登録する。したがって、以後、前記差出人メールアドレスから受信される電子メールは、認証メールを通じる認証なしに直ちにメールサーバー２００に送信される。また、メール送受信部１０は、臨時保存部２０に臨時保存されている電子メールをメールサーバー２００の受信者メールアカウントに送る（ＳＴ２３０）。
【００３５】
これに対して、前記設定された時間以内に、差出人が認証処理部４０に接続しなかった場合、認証処理部は、認証失敗を示すメッセージをメール送受信部１０に送り、メール送受信部は、臨時保存部２０に保存された電子メールを削除する（ＳＴ２６０、ＳＴ２８０）。
【００３６】
また、前記認証者リスト３０は、受信者が直接アクセスし、差出人メールアドレスを追加または削除などの変更を行うことができ、特定の差出人メールアドレスに対して受信禁止設定をすることもできることはもちろんである。仮に、受信者が登録された差出人メールアドレスを認証者リストから削除した場合、以後、前記差出人メールアドレスから受信される電子メールは、ＳＴ２４０乃至ＳＴ２７０の認証過程を経て、さらに認証された後、受信が可能となる。また、受信禁止設定されたメールアドレスに対しては、受信者が別に解除する前には、認証が行われないようにすることが好ましい。この場合、メール送受信部１０は、受信禁止されたメールアドレスから送信された電子メールは、認証過程なしに臨時保存部２０から直ちに削除する。
【００３７】
前述のように、メール送受信部１０は、臨時保存部２０に保存された電子メールに対するペンディングリストを各受信者に提供することができる。この際、当該受信者が、ペンディングリストの電子メールのうち、特定の電子メールの保存を選択すると、メール送受信部１０は、選択された電子メールをメールサーバー２００の受信者メールアカウントに送る。したがって、ＳＴ２５０及びＳＴ２６０の認証メールに対する回答の有無に関わらず、前記選択された電子メールは削除されず、受信者は、差出人の認証回答以前に必要な電子メールを速かに受信及び確認することが可能となる。また、前記選択された電子メールの差出人に対しては、もちろん、メールアドレスを自動で認証者リスト３０に加えることができる。
【００３８】
前記差出人のメールサーバー３００も、本発明に係る迷惑メール遮断システム１００が適用される場合、すなわちメールサーバー３００の前段に迷惑メール遮断システム１００が設けられる場合、差出人側の迷惑メール遮断システムも、受信される電子メールに対して、認証メールを通じる差出人の認証を行う。すなわち、受信者のメールサーバーを「メールサーバーＡ’」とし、差出人のメールサーバーを「メールサーバーＢ」とするとき、メールサーバーＢから一般の電子メール（以下、「一般メール」という。）を送れば、メールサーバーＡの迷惑メール遮断システム（迷惑メール遮断システムＡ）１００は、認証者リスト３０を検索した後、存在しない場合、これに対する認証メールＡ１を送る。この際、認証メールＡ１は、受信者（メールサーバーＡのアカウントの使用者）のメールアドレス（受信者ＩＤ＠メールサーバーＡのドメイン）または別途の運用アカウント（ｗｅｂｍａｓｔｅｒ＠メールサーバーＡのドメイン）を差出人として送信される。したがって、メールサーバーＢの迷惑メール遮断システム（迷惑メール遮断システムＢ）１００もまた、認証メールＡ１を一般のメールと認識して認証者リスト３０を検索し、存在しない場合、メールサーバーＡに認証メールＢ１を送ることとなる。結局として、迷惑メール遮断システムＡと迷惑メール遮断システムＢとの間に、Ａ２、Ｂ２、Ａ３、Ｂ３、…のように、認証メールを無限大に取り交わすルーピング現象が発生する恐れがある。
【００３９】
以下、前述したような認証メールの無限発送を防止するために、迷惑メール遮断システム間において認証メールを一般メールと識別して受信する実施例について説明する。
【実施例１】
【００４０】
認証メールの無限発送を防止するための実施例１は、認証メールを識別可能な特定の形式で生成し、または認証メールに所定の識別情報を挿入することにより、迷惑メール遮断システム１００、具体的にメール送受信部１０が、認証メールと一般メールを区別するようにする。好ましくは、認証メールのヘッダーに一定の規則により生成される識別情報を挿入する。電子メールは、ヘッダーと本文からなり、ヘッダーには、電子メールの題目、差出人、受信者及び受信日などの情報が記録される。したがって、認証メールのヘッダーに一般メールと区別可能な識別情報を挿入することにより、迷惑メール遮断システム１００が、これを認証メールと識別し、別途の認証過程なしに差出人メールアカウントに送ることができる。
【００４１】
例えば、迷惑メール遮断システムＢから送信された一般メールの題目が「Ｈｅｌｌｅｏ！」である場合、迷惑メール遮断システムＡから送信される認証メールＡ１の題目は、「Ｒｅ：Ｈｅｌｌｏ！１ｋｓｉｊ３３４ｋｓｋｆｄ」のような形態で送る。この際、認証メールの題目の「１ｋｓｉｊ３３４ｋｓｋｆｄ」が、前記電子メールが認証メールであることを示す識別情報である。また、前記識別情報は、迷惑メール遮断システムＡの自体エンコードモジュールにより生成させることが好ましく、迷惑メール遮断システムＡの認証処理部は、認証メールＡ１の題目に前記識別情報を挿入して送る。
【００４２】
したがって、迷惑メール遮断システムＢは、「１ｋｓｉｊ３３４ｋｓｋｆｄ」をデコードし、前記電子メールを認証メールと判断するようになり、認証者リスト３０の検索及び認証メールＢ１の送信を通じる認証過程なしにメールサーバーＢの差出人メールアカウントに前記認証メールＡ１を送ることとなる。この際、前記識別コードのデコードは、迷惑メール遮断システムの自体デコードモジュールにより行われる。
【実施例２】
【００４３】
認証メールの無限発送を防止するための実施例２は、現在使用中の公開メールＭＴＡ（Ｍａｉｌ Ｔｒａｎｓｆｅｒ Ａｇｅｎｔ）を一部修正することにより、迷惑メール遮断システムＢから迷惑メール遮断システムＡに認証メールB1を送る前に、送信すべきメールが認証メールであることを知らせる交信過程を含ませる。このため、通常、電子メールの送受信時に用いられるメール送信プロトコルのうち、送受信者メールアカウントの確認のためのプロトコルの前段に、差出人が登録されたメールサーバーと、認証メールを一般メールと区別するためのプロトコルを挿入するが、具体的にＳＭＴＰ（Ｓｉｍｐｌｅ Ｍａｉｌ Ｔｒａｎｓｆｅｒ Ｐｒｏｔｏｃｏｌ）及びＥＳＭＴＰ（Ｅｘｔｅｎｄｅｄ Ｓｉｍｐｌｅ Ｍａｉｌ Ｔｒａｎｓｆｅｒ Ｐｒｏｔｏｃｏｌ）の前段に、前記交信過程のためのプロトコルをトランスペアレントに挿入する。一般に、メールを送受信するＳＭＴＰ及びＥＳＭＴＰセッションは、相互間のメール送受信のために、送受信者メールアカウントを確認する過程を経た後、電子メールを送受信する。
【００４４】
先ず、図３を参照して、一般のＳＭＴＰ及びＥＳＭＴＰセッションでのメール送受信過程について説明する。一般に、メールサーバーＡからメールサーバーＢに電子メールを送る場合、図３に示すように、電子メールを受信するアカウントを確認する過程を経た後、実際の電子メールを送る。より具体的には、以下の通りである。
【００４５】
第１のステップ：メールサーバーＡは、メールサーバーＢに電子メールの送信を要請する。この際、前記要請メッセージと共に、メールサーバーＡを識別するためのコードを送ることはもちろんである。
第２のステップ：メールサーバーＢは、電子メールを受信するメールアカウント（受信者メールアドレス）を要請する。この場合も、前記要請メッセージと共に、メールサーバーＢを識別するためのコードを送る。
第３のステップ：メールサーバーＡは、受信者メールアドレスを送る。
第４のステップ：メールサーバーＢは、第３ステップで受信したメールアドレスがあるか否かを確認する。仮に、当該メールアドレスがなければ、メールサーバーＢは、エラーメッセージをメールサーバーＡに送る。
第５のステップ：メールサーバーＢは、受信されたメールアドレスがメールサーバーＢに登録されたアカウントであれば、メールサーバーＡの電子メールの送信を承認する。
第６のステップ：メールサーバーＡは、実際、電子メールをメールサーバーＢに送る。
したがって、本発明に係る迷惑メール遮断システムは、前記第１のステップの前に、認証メールの送信を知らせる交信過程を挿入するようにする。
【００４６】
図４及び図５は、本発明に係る認証メールを送受信する過程を説明するための図であって、図４は、迷惑メール遮断システム間に認証メールを送受信する過程を説明した図であり、図５は、迷惑メール遮断システムとメールサーバーとの間に認証メールを送受信する過程を説明した図である。また、図４及び図５には、メールサーバーＡからメールサーバーＢに認証メールを送る場合を示した。
以下、図４を参照して、メールサーバーＡとメールサーバーＢの全てに、迷惑メール遮断システムが適用された場合について説明する。
【００４７】
第１のステップ：迷惑メール遮断システムＡは、迷惑メール遮断システムＢに認証メールの送信を要請する。この際、迷惑メール遮断システムＡを識別するための別途のコードも共に送信されることはもちろんである。
第２のステップ：迷惑メール遮断システムＢは、認証メールの送信を検証するための識別コードを送る。この際、迷惑メール遮断システムＢを識別するための別途のコードを共に送ることはもちろんである。
第３のステップ：迷惑メール遮断システムＡは、第２のステップで受信した識別コードに対する回答コードを送る。
第４のステップ：迷惑メール遮断システムＢは、第３のステップで送信した回答コードが、前記識別コードに対する適合したコードであるかを確認した後、認証メールの送信を承認する。
前記第２のステップ及び前記第３のステップの識別コードと回答コードは、互いに対をなすキー値として、一定の規則により生成され得る。すなわち、迷惑メール遮断システムＡと迷惑メール遮断システムＢとの間に共有したコード生成規則により生成する。例えば、識別コードとして、アルファベット３個と数字２個からなるコードを送り、これに対する回答コードとしては、前記アルファベットの次の次アルファベット３個と前記数字との和が１０となる数字２個とからなるコードを送るという交信上の規則をＭＴＡ上に具現することができる。この場合、識別コードとして「ｃｂｄ２７」が送信され、これに対する回答コードとして「ｅｄｆ８３」が送信されれば、迷惑メール遮断システムＢは、前記回答コードが適合したコードであるので、その次に送信すべき電子メールを認証メールとみなして認証なしに受信処理を行う。
第５のステップ：迷惑メール遮断システムＡは、迷惑メール遮断システムＢに認証メールを送る。
もちろん、第４のステップにおいて認証メールを受信する受信者（一般メールの差出人）のメールアドレスが、メールサーバーＢに登録されているか否かを確認する過程（図３の第３乃至第５のステップ）をさらに含んでもよい。
【００４８】
次に、図５を参照して、迷惑メール遮断システムと一般メールサーバーとの間に認証メールを送受信する場合について以下説明する。図５において、メールサーバーＡは、本発明に係る迷惑メール遮断システムＡが適用されたメールサーバーであり、メールサーバーＢは、迷惑メール遮断システムが適用されていない一般メールサーバーである。
【００４９】
第１のステップ：迷惑メール遮断システムＡは、メールサーバーＢに認証メールの送信を要請する。この際、迷惑メール遮断システムＡを識別するための別途のコードも一緒に送信される。
第２ステップ：メールサーバーＢは、第１のステップで受信した交信（メッセージ）が、一般のＳＭＴＰ及びＥＳＭＴＰセッションにおいて送受信する交信ではないので、これに対する回答を行わない。
迷惑メール遮断システムＡは、メールサーバーＢから回答がなければ、メールサーバーＢを一般メールサーバーと判断し、ＳＭＴＰ及びＥＳＭＴＰセッションを通じて認証メールを送る。すなわち、一般の電子メールを送る過程により認証メールを送る。
第３のステップ：迷惑メール遮断システムＡは、メールサーバーＢに電子メールの送信を要請する。この際、迷惑メール遮断システムＡを識別するためのコードが一緒に送信される。
第４のステップ：メールサーバーＢは、電子メールを受信すべきメールアカウントを要請する。この際、メールサーバーＢを識別するためのコードが一緒に送信される。
第５のステップ：迷惑メール遮断システムＡは、電子メールを受信すべきメールアドレスを送る。
第６のステップ：メールサーバーＢは、第５のステップで受信したメールアドレスがあるかを確認する。
第７のステップ：メールサーバーＢは、迷惑メール遮断システムＡの電子メールの送信を承認する。
第８のステップ：迷惑メール遮断システムＡは、電子メールとして認証メールを送る。
【００５０】
また、電子メールを送った差出人に認証メールを送り、回答の有無により前記差出人を認証するにあたって、前記電子メールの実際の差出人が前記差出人ではない場合、すなわちスパム業者または悪意の差出人が、第三者のメールアドレスを通じて電子メールを送る場合、前記第三者に大量の認証メールが送信されるという問題点が生じることがある。例えば、ａ＠ａ．ｃｏｍというメールアドレスを持つスパム業者が第三者のメールアドレスｂ＠ｂ．ｃｏｍを差出人として、メールサーバーＣ（ｃ．ｃｏｍ）にメールアカウントを持つ多数の受信者に大量の電子メールを送り、メールサーバーＣに本発明に係る迷惑メール遮断システム１００が適用された場合、送信された電子メールの数量だけのｂ＠ｂ.ｃｏｍに認証メールを送ることとなる。このような場合は、前記受信者が多数である場合のみならず、一人の受信者に大量の電子メールが送信された場合も同様に、同数の認証メールが送信される。一般に、メールサーバーは、いっぺんにいくら多い電子メールが送信されても、一度に処理可能な限界を２５６通で決めている点を勘案すると、前記ｂ＠ｂ．ｃｏｍのメールアカウントの使用者の場合、不要に２５６個の認証メールを受信することとなる。したがって、本発明に係る迷惑メール遮断システム１００は、受信された電子メールに対する認証メールを送るにあたって、同一の差出人から送信された電子メールに対して、認証メールを一度に送らず、一部の電子メールに対する認証メールを先に送った後、前記差出人の回答の有無により、残りの電子メールに対する認証メールを送るか、または前記電子メールを削除処理するようにする。以下、認証メールの２段階送信過程について詳述する。
【００５１】
図６は、認証メールを２段階に分けて送る過程を示すフローチャートである。図６では、同一の差出人から一度に大量の電子メールが受信される場合を仮定する。図６を参照して、認証メールを２段階に分けて送る過程を以下に説明する。
【００５２】
メールサーバー３００から電子メールが送信されれば、メール送受信部１０は、前記電子メールを受信する（ＳＴ３００）。
認証処理部４０は、前記電子メールの差出人が認証者リスト３０に含まれているか否かを検索する（ＳＴ３０５）。この際、受信された電子メールが多数の受信者に対して送信された電子メールである場合、各受信者毎に認証者リストに含まれているか否かを検索する。
前記差出人メールアドレスが登録されている認証者リストがなければ、認証処理部４０は、受信された電子メールのうち、一部の電子メールに対して認証メールを生成及び送信する（ＳＴ３１０、ＳＴ３１５）。好ましくは、前記電子メールの受信の手順により、所定の数の電子メールに対して認証メールを送る。例えば、２５６名のメールアカウントの登録者を受信者とする２５６個の電子メールが受信された場合、先に受信された２個の電子メールに対して認証メールを送る。この際、メール送受信部１０は、受信された電子メールを臨時保存部２０に保存する。以下において、前記選択された一部の電子メールを「第１の電子メール」とし、第１の電子メールに対して送信された認証メールを「第１の認証メール」とする。
認証処理部４０は、予め設定された時間の間、第１の認証メールに対する前記差出人の回答を待機する（ＳＴ３２０）。
【００５３】
前記設定された時間の間、前記差出人から回答がない場合、すなわち前記設定された時間以内に前記差出人が第１の認証メールに含まれた接続情報を通じて認証処理部４０に接続して回答しない場合、認証処理部は、認証失敗を示すメッセージをメール送受信部１０に送り、メール送受信部は、臨時保存部２０に保存された全ての電子メールを削除する（ＳＴ３２５、ＳＴ３３０）。すなわち、前述した例において、前記差出人を迷惑メール送信者とみなして前記差出人から送信された電子メールのうち、第１の認証メールが送信された２個の第１の電子メールはもとより、認証メールが送信されていない残りの２５４個の電子メールも、認証メールの送信なしに削除する。
【００５４】
これに対して、前記設定された時間内に、差出人から回答があった場合、すなわち前記差出人が第１の認証メールの接続情報を通じて認証処理部４０に接続し、文字パターンや質問に対する正解などを入力した場合、認証処理部は、前記差出人メールアドレスを当該受信者の認証者リスト３０に登録する（ＳＴ３２５、ＳＴ３３５）。この際、メール送受信部１０が臨時保存部２０に保存されている電子メールのうち、第１の電子メールをメールサーバー２００の当該受信者メールアカウントに送ることはもちろんである。また、認証処理部４０は、前記差出人が送った電子メールのうち、第１の電子メールを除いた残りの電子メールに対して、認証メールの生成及び送信を行う（ＳＴ３４０）。以下、第１の電子メールを除いた残りの電子メールを「第２の電子メール」とし、第２の電子メールに対して送信される認証メールを「第２の認証メール」とする。
【００５５】
認証処理部４０は、それぞれの第２の認証メール毎に設定された時間の間、前記差出人の回答を待機した後、回答が受信された第２の認証メールに対しては、当該受信者の認証者リスト３０に前記差出人メールアドレスを登録し、メール送受信部１０は、当該第２の電子メールを臨時保存部２０からメールサーバー２００の当該受信者メールアカウントにそれぞれ送る（ＳＴ３４５乃至ＳＴ３５５）。これに対して、設定された時間の間、回答が受信されていない第２の認証メールに対して、メール送受信部１０は、臨時保存部２０に保存された第２の電子メールを削除する（ＳＴ３５０、ＳＴ３６０）。
【００５６】
また、ＳＴ３０５で、検索の結果、前記電子メールの差出人が認証者リスト３０に登録された受信者がある場合、メール送受信部１０は、当該受信者に対しては、受信された電子メールをメールサーバー２００の当該受信者メールアカウントに送る（ＳＴ３１０、ＳＴ３６５）。また、各受信者の認証者リスト３０に含まれていない残りの電子メールを臨時保存部２０に保存し、前記残りの電子メールのうち、一部の電子メールに対して認証メールを生成及び送信した後、前記差出人の回答の有無により、メールサーバー２００に送信または削除の処理を行う（ＳＴ３７０、ＳＴ３２０乃至ＳＴ３６０）。
【００５７】
また、前述のように、臨時保存部２０に保存された電子メールは、ペンディングリストを通じて各受信者に提供され、受信者は、ペンディングリストを通じて臨時保存部に保存されている電子メールを選択的に受信し、前記差出人を認証者リスト３０に登録させることができることはもちろんである。具体的に、ＳＴ３１５、ＳＴ３４０及びＳＴ３７０において認証メールが送信された電子メールのみならず、ＳＴ３１５及びＳＴ３７０において認証メールが送信されていない電子メールに対しても、受信者が確認及び受信を行うことができる。したがって、ＳＴ３１５及びＳＴ３７０において認証メールが送信されていない電子メールがあまり遅く受信者に受信されることを防止することができる。
【００５８】
また、受信される電子メールを認証メールを通じて認証するにあたって、電子メールの受信量が多い場合、認証メールを一々送ることにより、システムリソースを浪費して過負荷が発生することがあり、電子メールの受信量が少ない場合にもまた、不要なシステムリソースを浪費することとなる。また、相手方のメールサーバーに大量の認証メールを送る場合が生じて、相手方のメールサーバーに過負荷を引き起こすこととなる。 したがって、本発明に係る迷惑メール遮断システム１００は、受信される電子メールのうち、確実な迷惑メールに対して、当該差出人メールアドレス、ＩＰアドレスまたはドメインをブラックリストで管理し、ブラックリストに含まれたメールアドレス、ＩＰアドレスまたはドメインから送信された電子メールに対しては、メール送受信部１０への受信を遮断して削除する。以下、ブラックリストを用いた迷惑メールの遮断過程について説明する。
【００５９】
図７は、本発明に係る迷惑メール遮断システムのまた他の実施の形態を示す構成図であって、ブラックリスト７０を用いて迷惑メールを一次的にフィルタリングした後、残りの電子メールに対して認証メールを通じる認証を行う実施の形態を示す図である。図７に示すように、本発明に係る迷惑メール遮断システム１００は、メールサーバー３００から受信される電子メールのうち、ブラックリスト７０に含まれた電子メールを遮断するブラックリスト遮断部５０と、ブラックリスト遮断部を通過した電子メールを受信するメール送受信部１０と、受信された電子メールを臨時保存する臨時保存部２０と、迷惑メール遮断システム１００により認証された差出人のリストを保存する認証者リスト３０と、認証メールを用いて電子メールの差出人を認証する認証処理部４０と、臨時保存部、ペンディングリスト及び認証者リストと連動してブラックリストを生成及び管理するブラックリスト処理部６０と、電子メールを遮断する差出人メールアドレス、ＩＰアドレスまたはドメインのリストを保存するブラックリスト７０と、を備える。以下、迷惑メール遮断システム１００の各構成部について説明するが、上述した説明と重複する部分については説明を省略する。
【００６０】
前記ブラックリスト７０は、メールサーバー２００の全ての使用者、すなわち全ての受信者に対して電子メールの送信を遮断すべき差出人メールアドレス、ＩＰアドレスまたはドメインのリストである。ブラックリスト７０は、メールサーバー２００の全ての受信者が受信を希望していない確かな迷惑メールの差出人と判断されたメールアドレス、ＩＰアドレスまたはドメインのリストであって、ブラックリストに含まれたメールアドレス、ＩＰアドレスまたはドメインから送信された電子メールは、ブラックリスト遮断部５０により遮断される。ブラックリスト７０は、認証者リスト３０及びペンディングリストとは異なり、メールサーバー単位に生成及び管理される。ブラックリスト７０は、ブラックリスト処理部６０により生成及び管理される。
【００６１】
ブラックリスト遮断部５０は、メール送受信部１０の前段に設けられ、メールサーバー２００に受信される電子メールのうち、ブラックリスト７０に含まれた電子メール、すなわちブラックリストに含まれたメールアドレス、ＩＰアドレスまたはドメインから送信された電子メールの受信を遮断及び及び削除する。前述のように、ブラックリスト７０は、メールサーバー２００に登録された全ての受信者が電子メールの受信を希望していない差出人メールアドレス、すなわち確かな迷惑メールの差出人と確認された電子メールのアドレス、ＩＰアドレスまたはドメインであるので、これらの電子メールに対して認証メールを送る場合、メールサーバー２００のみならず、相手方のメールサーバー３００にも不要なシステムリソースの浪費をもたらすこととなる。したがって、ブラックリスト遮断部５０において、ブラックリスト７０に含まれた電子メールを遮断した後、残りの電子メールのみをメール送受信部１０が受信し、認証メールを通じる認証を行うことにより、システムリソースを大きく節約し、電子メールの処理效率を向上させることが可能となる。
【００６２】
前記ブラックリスト処理部６０は、臨時保存部２０及びペンディングリストと連動してブラックリスト７０を生成及び管理する。ブラックリスト処理部６０は、認証処理部４０が認証メールを送った後、設定された期間の間、臨時保存部２０に臨時保存される電子メールのうち、電子メールの全ての受信者がペンディングリストを通じて保存していない電子メールを対象として、その電子メールの各特性を分析・比較し、互いに同一の特性を持つ電子メールの差出人の、メールアドレス、ＩＰアドレスまたはドメインをブラックリスト７０に登録する。この際、ブラックリスト処理部６０は、差出人メールアドレス、ＩＰアドレスまたはドメインをブラックリスト７０に登録する前に、認証者リスト３０で検索し、認証者リストに含まれた差出人メールアドレス、ＩＰアドレスまたはドメインはブラックリストに登録させない。ブラックリスト処理部６０で分析される特性は、差出人メールアドレス、発信ＩＰ、電子メールの題目及び電子メールの本文内容を含め、その他様々な特性を比較・分析してもよいことはもちろんである。ブラックリスト処理部６０は、ペンディングリストに登録され臨時保存部２０に保存された各電子メールのうち、同一の差出人メールアドレス、ＩＰ、題目及び本文内容のような特性のいずれか一つが同一である電子メールが多数存在し、このような電子メールを全ての受信者がペンディングリストを通じて保存していない場合、当該電子メールの差出人メールアドレス、ＩＰアドレスまたはドメインをブラックリスト７０に登録する。以下、それぞれの特性別に詳述する。
【００６３】
先ず、差出人メールアドレスを分析する場合、臨時保存部２０に保存された電子メールの差出人メールアドレスを比較し、同一の差出人メールアドレスから送信された電子メールが多数であり、前記差出人が送った電子メールの全ての受信者が、臨時保存部の保存期間の間、ペンディングリストを通じて前記差出人の電子メールを保存していない場合、ブラックリスト処理部６０は、当該電子メールの差出人メールアドレス、ＩＰアドレスまたはドメインをブラックリスト７０に登録する。好ましくは、送った電子メールの数、保存期間、及びこれらの電子メールを送った頻度（回数）などを反映してその順位をランクし、一定の順位以上の差出人をブラックリスト７０に含ませる。例えば、差出人Ａが１００個の電子メールを送り、差出人Ｂは１０個の電子メールを送ったが、差出人Ａの電子メールと差出人Ｂの電子メールの全ての受信者が、ペンディングリストを通じて保存しなかった場合、差出人Ａが差出人Ｂより高い順位にランクされて、ブラックリスト７０に含まれることとなる。また、電子メールの受信者のうち一人でも、ペンディングリストを通じて当該電子メールを保存した場合、当該電子メールの差出人は、ブラックリスト７０に含まれないこととなる。
【００６４】
次に、発信ＩＰを分析する場合は、臨時保存部２０に保存された電子メールの発信ＩＰを比較し、差出人メールアドレスが同一か否かに関わらず、同一の発信ＩＰから送信された電子メールが多数であり、当該電子メールの全ての受信者がペンディングリストを通じて前記電子メールを保存しなかった電子メールの全ての差出人メールアドレス、ＩＰアドレスまたはドメインをブラックリスト７０に登録する。したがって、差出人メールアドレスを仮想に自動生成し、同一または多数の受信者に自動発送する電子メール自動発生器を使って発送された迷惑メールも、效果的に遮断することが可能となる。また、電子メールの題目または電子メールの本文内容を分析する場合、臨時保存部２０に保存された電子メールの題目または本文内容を互いに比較・分析し、差出人メールアドレスや発信ＩＰが同一か否かに関わらず、同一の題目または同一の本文内容を持つ電子メールが多数であり、当該電子メールの全ての受信者が、臨時保存部の保存期間の間、ペンディングリストを通じて保存していない場合、当該電子メールの差出人メールアドレス、ＩＰアドレスまたはドメインをブラックリスト７０に登録する。特に、各電子メールの本文内容を分析する場合、本文内容をハッシュ処理してコードに変換した後、変換されたコードを相互比較して同一か否かを判断する。発信ＩＰ、題目または本文内容を分析する場合も、その順位をランクして一定の順位以上をブラックリストに登録することができ、当該電子メールのうち、受信者の保存した電子メールがある場合、ブラックリストに登録しない。
【００６５】
また、前記ブラックリスト処理部６０は、認証者リスト３０と連動して、ブラックリスト７０に含まれたメールアドレス、ＩＰアドレスまたはドメインが認証者リストに含まれた場合、当該メールアドレス、ＩＰアドレスまたはドメインをブラックリストから削除する。ブラックリスト処理部６０は、一定の期間単位にブラックリスト７０と各受信者の認証者リスト３０を比較する。好ましくは、各受信者の認証者リスト３０がアップデートされるとき、例えば、受信者が認証者リストに新たなメールアドレスなどを含ませ、またはペンディングリストを通じて電子メールを保存した場合、または差出人が認証メールを通じる認証を行った場合、ブラックリスト処理部６０がブラックリスト７０とアップデートされた認証者リストを比較する。したがって、一人の受信者でも受信を希望する電子メールに対しては、ブラックリスト遮断部５０で遮断されずに受信されることにより、各受信者が選択的に受信することが可能となるので、必要な電子メールが失われることを防止し、受信者の特性に合わせたブラックリストを運用することができ、受信者が被害を受けることなく、迷惑メールを效果的に遮断することが可能となる。
【００６６】
図８は、本発明に係るブラックリストを用いた迷惑メールの遮断過程を示すフローチャートである。以下、図８を参照して、本発明に係るブラックリストを用いた迷惑メールの遮断過程について説明する。
【００６７】
メールサーバー３００から電子メールが送信されれば、ブラックリスト遮断部５０は、前記電子メールの差出人がブラックリスト７０に含まれているか否かを検索する（ＳＴ４００）。すなわち、前記電子メールの差出人メールアドレス、ＩＰアドレスまたはドメインをブラックリストで検索する。
ＳＴ４００の検索の結果、当該電子メールの差出人がブラックリスト７０に含まれていれば、ブラックリスト遮断部５０は、前記電子メールを遮断及び削除する（ＳＴ４１０、ＳＴ４２０）。
ＳＴ４００の検索の結果、当該電子メールの差出人がブラックリスト７０に含まれていなければ、ブラックリスト遮断部５０は、当該電子メールを通過させ、前記電子メールはメール送受信部１０に受信され、臨時保存部２０に保存される（ＳＴ４１０、ＳＴ４３０）。
【００６８】
認証処理部４０は、臨時保存部２０に保存された電子メールに対して認証メールを通じる認証を行う（ＳＴ４４０）。具体的に、図２のＳＴ２１０乃至ＳＴ２８０の認証過程または図６のＳＴ３０５乃至ＳＴ３７０の認証過程を行う。
【００６９】
認証処理部４０の電子メール認証過程とは別に、ブラックリスト処理部６０は、臨時保存部２０、ペンディングリスト、及び認証者リスト３０と連動し、ブラックリスト７０に差出人メールアドレス、ＩＰアドレスまたはドメインを追加または削除するなどの管理を行う。
【００７０】
先ず、ブラックリスト処理部６０は、メールサーバー２００の各受信者に送信され、臨時保存部２０に保存された電子メールのうち、設定された保存期間が経過するまで、ペンディングリストから選択されていない電子メールの特性を分析し、同一の特性を持つ電子メールの差出人メールアドレス、ＩＰアドレスまたはドメインをブラックリスト７０に登録する（ＳＴ４５０）。具体的に、ブラックリスト処理部６０は、認証メールを送った後、臨時保存部２０に保存された電子メールのリストをペンディングリストとして提供したが、当該電子メールに対して差出人の認証が行われず、受信者も、臨時保存部に保存するように設定された期間が経過するまで、ペンディングリストを通じて保存していない電子メールに対して、電子メールの特性を分析した後、一定の電子メールをブラックリスト７０に登録する。これらの電子メールは、差出人が認証を行わなかっただけでなく、受信者も受信を希望していないものであるので、迷惑メールである蓋然性が高く、特性の分析後、ブラックリストに登録する。前述のように、この際、分析される電子メールの特性としては、差出人メールアドレス、発信ＩＰ、電子メールの題目及び電子メールの本文内容が挙げられる。
【００７１】
ブラックリスト処理部６０は、臨時保存部２０に保存された後、ペンディングリストを通じて受信者が保存していない各電子メールに対して、差出人メールアドレス、発信ＩＰ、題目及び本文内容のような特性を比較・分析し、特性が同一である電子メール、すなわち同一の差出人メールアドレスから送信された電子メール、同一の発信ＩＰから送信された電子メール、同一の題目の電子メールまたは同一の本文内容を持つ電子メールが多数存在する場合、当該電子メールを確かな迷惑メールとみなし、差出人メールアドレス、ＩＰアドレスまたはドメインをブラックリスト７０に登録する。好ましくは、特性が同一である電子メールの数、保存期間及び送信頻度などを考慮して、迷惑メールの可能性を順位としてランクし、上位の一部の電子メールに対して、当該差出人をブラックリスト７０に含ませる。
【００７２】
また、ブラックリスト処理部６０は、ブラックリスト７０に登録する差出人メールアドレス、ＩＰアドレスまたはドメインを、メールサーバー２００に登録された各受信者の認証者リスト３０で検索し、当該メールアドレス、ＩＰアドレスまたはドメインが含まれた認証者リストがない場合にのみ、ブラックリストに登録する。したがって、当該差出人から電子メールを受けたメールサーバー２００に登録された全ての受信者が電子メールの受信を希望していない場合にのみ、ブラックリスト７０に登録されるので、確かなスパム業者から送信された電子メールのみを遮断し、受信者及び善意の差出人の被害を防止することが可能となる。
【００７３】
また、ブラックリスト処理部６０は、一定の周期で認証者リスト３０とブラックリスト７０を互いに比較し、ブラックリストに含まれた差出人メールアドレス、ＩＰアドレスまたはドメインのうち、認証者リストに含まれた値があれば、これを削除する（ＳＴ４６０、ＳＴ４７０）。好ましくは、各受信者の認証者リスト３０がアップデートされるとき、ブラックリスト処理部６０は、アップデートされた認証者リストとブラックリストを比較し、共通して含まれたメールアドレス、ＩＰアドレスまたはドメインがあるかどうかを判断し、認証者リストとブラックリストの全てに含まれたメールアドレス、ＩＰアドレスまたはドメインをブラックリストから削除する。認証者リスト３０がアップデートされる場合としては、各受信者が認証者リストに新たなメールアドレスなどを登録する場合、各受信者がペンディングリストから電子メールを保存する場合、差出人が認証メールを通じる認証を行った場合が挙げられる。したがって、受信者が受信を希望する電子メールの差出人がブラックリスト７０に登録されることを防止し、このような過程がリアルタイムで行われるので、所望の電子メールが遮断されることを防止することが可能となる。
【産業上の利用可能性】
【００７４】
本発明に係る迷惑メール遮断システム及び方法は、
（１）登録されていないメールアドレスから送信された電子メールに対して、差出人に認証メールを送り、前記認証メールに対する回答の有無により差出人を認証するので、不特定多数に大量に送信される迷惑メールと任意に生成された仮想のメールアドレスから送信される迷惑メールを效果的に遮断することができ、
（２）認証された差出人が送った電子メールのみを受信するので、迷惑メール処理のための受信者の不要な時間の浪費とリソースの消耗を著しく減らすことができ、
（３）迷惑メール遮断機能を電子メールの受信者側ではなく差出人側で処理するので、受信者側メールシステムの不要なリソースの浪費を防止することができ、
（４）認証メールの題目などに認証メールを識別可能な別途の識別コードを挿入することにより、認証メールを受信した迷惑メール遮断システムが一般の電子メールではなく認証メールと判断するので、迷惑メール遮断システム間で認証メールを繰返し送受信することを防止することができ、
（５）一般に電子メールの送受信に用いられるＳＭＴＰ及びＥＳＭＴＰセッションの前段に、認証メールの送信を迷惑メール遮断システムが相互識別可能に交信するためのプロトコルを挿入することにより、認証メールを受信するメールシステムが受信された電子メールを認証メールと識別して、認証メールの繰返し送受信を防止することができ、
（６）認証メールの識別のためにＳＭＴＰ及びＥＳＭＴＰセッションの前段に前記交信過程をトランスペアレントに挿入するので、ＳＭＴＰ及びＥＳＭＴＰセッションを侵害せずに処理が可能であり、一般メールサーバーに認証メールを送る場合も共に適用可能であるのみならず、スパム業者またはハッカーが前記交信内容を認識またはハッキングすることを防止することができ、
（７）ＭＴＡを一部調整して、迷惑メール遮断システム間に確認可能な交信上の規則のみを共有すればよいので、迷惑メール遮断システムまたはメールサーバー間に容易に互換され、
（８）認証メールに対する回答が受信される前に、臨時保存部に保存された電子メールのリストであるペンディングリストを各受信者に提供し、受信者の選択により差出人の認証が行われなかった状態で、電子メールを臨時保存部からメールサーバーの受信者メールアカウントに送るので、差出人の認証の有無に関わらず、迅速に電子メールを確認することができるのみならず、差出人が誤って認証メールに対する回答をしなかった場合も、電子メールが失われることを防止することができ、
（９）同一の差出人が送った多数の電子メールに対して認証メールを２段階で送ることにより、第三者のメールアドレスを用いて迷惑メールを発生するスパム業者により、前記第三者に不要に大量の認証メールが送信される被害の発生を防止することができ、
（１０）メールサーバーに登録された全ての受信者が電子メールの受信を希望しない差出人メールアドレス、ＩＰアドレスまたはドメインをブラックリストとして管理し、ブラックリストに含まれたメールアドレスなどから発信された電子メールをメール送受信部の受信前段階で遮断し、不要な電子メールの受信及び認証が省略されるので、システムリソースの浪費を防止し、処理效率を向上させるのみならず、相手方のメールサーバーに不要な認証メールを大量発送してシステムの過負荷を引き起こすことを防止することができ、
（１１）メールサーバーに登録された全ての受信者が電子メールの受信を希望しない場合にのみ、ブラックリストに登録されるので、必要な電子メールが失われることを防止し、受信者及び善意の差出人の被害を防止することができ、認証者リストのアップデートの際に、ブラックリストもリアルタイムで比較及びアップデートされるので、受信者が受信を希望する電子メールの差出人がブラックリストに登録されることを防止することができ、メールサーバーの全ての受信者の特性を考慮したブラックリストを提供することができ、
（１２）認証メールを通じる認証方式を用いた他のメールシステムに共に適用することができ、拡張性が大きい、という利点がある。
【００７５】
以上、本発明の好適な実施の形態が特定の用語を用いて記述されてきたが、これらは、説明のためのものであり、添付の特許請求の範囲の技術的思想及び範囲から逸脱しない範囲内で、様々な変更及び変化が可能なものと理解されられなければならない。
【図面の簡単な説明】
【００７６】
【図１】本発明の一実施の形態に係る迷惑メール遮断システムを示す構成図
【図２】本発明に係る迷惑メール遮断過程を示すフローチャート
【図３】一般のＳＭＴＰセッションでのメール送受信過程を説明するための図
【図４】本発明に係る認証メールを送受信する過程を説明するための図
【図５】本発明に係る認証メールを送受信する過程を説明するための図
【図６】認証メールを２段階に分けて送る過程を示すフローチャート
【図７】本発明に係る迷惑メール遮断システムの他の実施の形態を示す構成図
【図８】本発明に係るブラックリストを用いた迷惑メールの遮断過程を示すフローチャート
【図１】
2007528686.tif 000003
【図２】
2007528686.tif 000004
【図３】
2007528686.tif 000005
【図４】
2007528686.tif 000006
【図５】
2007528686.tif 000007
【図６】
2007528686.tif 000008
【図７】
2007528686.tif 000009
【図８】
2007528686.tif 000010
【国際調査報告】
2007528686.tif 000011
2007528686.tif 000012